(57)【要約】【課題】  自セル及び他セルからの受信信号の電力レベルを移動端末にて低消費電力で測定する電力レベル測定装置を得ること。【解決手段】  本装置は、所定の期間内のサンプルタイミングの各々について、受信信号及び既知信号の相関値に基づく電力値を算出する電力化手段４０４と、複数のセルの各々に割り当てられたタイムスロットに応じて、入力された信号の接続先を切り替える時分割手段４０６と、前記時分割手段に接続され、前記電力値をそれぞれ積算する複数の積算手段４２２と、積算結果に基づいて、各サンプル時点のうち、所定値以上の積算値に対応する１以上のサンプル時点を検出する検出手段４２４と、前記時分割手段に接続され、前記電力値を記憶する記憶手段４２６と、検出されたサンプル時点に対応する記憶済みの電力値に基づいて、電力レベルの測定結果を出力する出力手段４２８とを備える。【選択図】  図４
2006054816.tif 000002
【特許請求の範囲】
【請求項１】
所定の期間内のサンプルタイミングの各々について、受信信号及び既知信号の相関値に基づく電力値を算出する電力化手段と、
複数のセルの各々に割り当てられたタイムスロットに応じて、入力された信号の接続先を切り替える時分割手段と、
前記時分割手段に接続され、前記電力値をそれぞれ積算する複数の積算手段と、
積算結果に基づいて、各サンプル時点のうち、所定値以上の積算値に対応する１以上のサンプル時点を検出する検出手段と、
前記時分割手段に接続され、前記電力値を記憶する記憶手段と、
検出されたサンプル時点に対応する記憶済みの電力値に基づいて、電力レベルの測定結果を出力する出力手段と
を備えることを特徴とする電力レベル測定装置。
【請求項２】
前記所定の期間が、セルサーチにより判別されたパスタイミングを含む
ことを特徴とする請求項１記載の電力レベル測定装置。
【請求項３】
前記電力レベルの測定結果が、受信信号強度と、チップ当たりの信号電力対雑音電力比とに比例する量である
ことを特徴とする請求項１記載の電力レベル測定装置。
【請求項４】
前記電力値を、チップ当たりの信号電力対雑音電力密度比に換算する手段
を有することを特徴とする請求項１記載の電力レベル測定装置。
【請求項５】
受信信号について所定の逆拡散符号との相関を相関算出部で算出し、算出した該相関に基づいてパスタイミングを出力するサーチ部を備えた移動局において、
前記相関算出部で算出した相関のうち、前記パスタイミングに対応する相関に基づいて受信電力レベルを算出する電力レベル測定部、
を備えたことを特徴とする移動局。
【発明の詳細な説明】
【技術分野】
【０００１】
本発明は、複数のセルを備えた移動通信システムにおける電力レベル測定装置及び移動局に関連する。
【背景技術】
【０００２】
複数のセルを備えた移動通信システムでは、移動局は、電源立上げ時、ソフトハンドオーバ状態に入る前、通信待ち受け時における間欠受信状態において、最も受信電力の大きい（ソフトハンドオーバ状態に入る前に行なう場合は受信電力が２番目等の）パイロットチャネルを送信するセルを検出する。
【０００３】
Ｗ−ＣＤＭＡ移動通信システムでは、特に３段階セルサーチが実行され、Ｐ−ＳＣＨ、Ｓ−ＳＣＨにより検出したフレームタイミング、スクランブリングコードグループを用いて、ＣＰＩＣＨ（Ｃｏｍｍｏｎ  Ｐｉｌｏｔ  Ｃｈａｎｎｅｌ）の拡散に用いられているスクランブリングコードを特定することとなる。
【０００４】
セルサーチにより、スクランブリングコードの特定、大凡の逆拡散タイミングを特定した後には、移動局は、セルサーチを実行する。
【０００５】
セルサーチは、マルチパスを介して受信した信号についてレイク（ＲＡＫＥ）合成を実行するために必要とされる処理であり、各パス毎についてＣＩＰＣＨを用いて逆拡散タイミング（パスタイミング）を特定する。
【０００６】
パスタイミングは、通信環境に依存して時間的に前後する可能性があり、パスサーチはパスタイミング検出後も定期的に行なわれる。
【０００７】
また、移動局は、パスサーチの結果得られたパスタイミングに基づいて、周辺セルからの受信信号の電力レベルを必要に応じてネットワーク側に報告する。
【０００８】
図１は、移動局に搭載される従来の電力レベル測定装置の機能ブロック図を示す。
【０００９】
電力レベル測定装置はパスサーチ部１１０と復調部１３０から構成される。パスサーチ部１１０は、整合フィルタ又はマッチドフィルタ部（Ｍａｔｃｈｅｄ  Ｆｉｌｔｅｒ）１１２と、電力化部１１４と、電力積算部１１６と、ピーク検出部１１８とを有し、サーチャーとも呼ばれる。
【００１０】
パスサーチ部１１０は、先に説明したセルサーチ機能（３段階セルサーチ機能）も有するが、ここでは、パスサーチ処理について後に詳しく説明することとする。
【００１１】
復調部１３０は、スライディング相関器１３２と、電力化／同期検波部１３４と、レベル変換部１３６とを有する。逆拡散を行うスライディング相関器１３２は、他にも複数設けられ、それぞれマルチパス対応、チャネル対応に受信信号を逆拡散するために用いられる。
【００１２】
尚、各スライディング相関器が逆拡散を行うタイミングは、パスサーチ部１１０から通知されるパスタイミングに従うこととなる。
【００１３】
さて、パスサーチ部１１０におけるパスサーチ処理及びレベル測定処理について説明する。
【００１４】
マッチドフィルタ部１１２は、所定の範囲内のサンプル時点の各々について、受信信号ｘと、既知の符号ｃとの相関値ｃｐｉｃｈ＿ｓｙｍｂｏｌ［ｍ］［ｉ］を、次式により算出する：
【００１５】
【数１】
2006054816.tif 000003
但し、ｍはサンプル時点を区別するパラメータであり、ｍ＝０，．．．，６３９である。ｉはシンボル番号を区別するパラメータであり、ｉ＝０，１，２，．．．である。総和Σはｋ＝１，．．．，ｎｓｃｏｄｅ  について行なわれ、ｎｓｃｏｄｅは、ＣＰＩＣＨ信号１シンボルに含まれるチップ数であり、例えば２５６チップである。ｔはパスサーチで判別された大凡のパスタイミングであり、このパスタイミングを中心に±３２０サンプルの範疇で合計６４０個（１シンボル当たり）の相関値が算出される。この例では、１チップは４つのサンプルで表現される（４倍オーバーサンプリングが行なわれる）。ｔとｍの関係は、図２（Ａ）に図示されている。ｃｏｄｅ［ｋ］は拡散符号を表し、これはチャネライゼーションコードＣＣ［ｋ］とスクランブリングコードＳＣ［ｋ］との積で表現される。
【００１６】
電力化部１１４は、相関値の同相成分及び直交成分の二乗和を算出することで、電力値を算出する（受信信号ｘは直交変調方式で変調されている。）。電力値は、シンボル毎に得られる６４０個の相関値の各々について算出される。
【００１７】
電力積算部１１６は、６４０サンプルの区間にわたって得られる電力値を、各サンプル時点毎に次々と積算する。これにより、パスタイミングｔの近辺に複数のパスが出現する。
【００１８】
ピーク検出部１１８は、電力積算部１１６で算出された積算結果に基づいて、ｔ近辺の上位４つのパスに対応するパスタイミングｔ０，ｔ１，ｔ２，ｔ３を選択する（図２（Ｂ）参照）。この各パスタイミングを用いて、後続の受信信号の先頭フレームを各マルチパス毎に適切に維持し、復調部１３０にて電力測定に関する処理が行なわれる。
【００１９】
スライディング相関器１３２は、ピーク検出部１１８から通知される４つのパスタイミングｔ０，ｔ１，ｔ２，ｔ３を用いて、後続の受信信号と既知信号との相関値ｃｐｉｃｈ＿ｓｙｍｂｏｌ［ｎ］［ｉ］を、次式により算出する：
【００２０】
【数２】
2006054816.tif 000004
ｎは、４つのパスタイミングを区別するパラメータであり、ｎ＝０，１，２，３である。他の記号は上記のものと同様である。これにより、シンボル毎に４つの相関値、即ち受信信号を逆拡散したものが出力される。
【００２１】
電力化／同期検波部１３４は、逆拡散後の信号をそれぞれ平均化し、電力化してからＲＡＫＥ合成部１３５に出力する。ここで、電力化／同期検波部と示したのは、レベル測定時には、主に電力化処理を施し、データの復調時には同期検波処理を行うように機能切り換え可能なためである。もちろん、データ等の復調の際には、ＲＡＫＥ合成後のデータは、レベル変換部１３６ではなく、不図示の復号部等に出力されることとなる。
【００２２】
基地局が送信ダイバシチ状態のときは、一方のアンテナ側についての受信信号に対してパイロットキャンセルしてから平均化を行ない、同様にＲＡＫＥ合成を行なうこととなる。
【００２３】
ＲＡＫＥ合成部１３５は、各パス（ここでは、４つのパス）についてＲＡＫＥ合成を行い、ＲＡＫＥ合成後の信号をレベル変換部１３６へ与える。
【００２４】
レベル変換部１３６は、ＲＡＫＥ合成後の信号に基づいて、チップ当たりの信号電力対雑音電力比Ｅｃ／Ｎ０を算出する。更に、この値に受信信号強度ＲＳＳＩを乗算することで、適切に換算された電力レベルＲＳＣＰが算出される。
【００２５】
尚、受信信号強度は、電力測定部の前段に設けられた不図示の無線部において、受信信号について利得を調整する自動利得制御装置（ＡＧＣ：Ａｕｔｏｍａｔｉｃ  Ｇａｉｎ  Ｃｏｎｔｒｏｌｌｅｒ）の制御信号に基づいて決定可能である。
【００２６】
このようにして算出されたレベル測定値は、無線基地局を経由してネットワーク制御装置（ＲＮＣ）等に伝送され、ハンドオーバ制御その他の処理に利用される。
【００２７】
図３は、レベル測定及びパスサーチに関するタイミング図を示す。
【００２８】
図中上段に示されているように、移動局に届く無線信号は、複数の（１５個の）タイムスロットを含むフレーム（１０ｍｓ）から構成される。
【００２９】
１フレーム内で複数のセル（＃０〜＃３）対応にレベル測定を行なうため、図示の例では、１．５スロットずつレベル測定を行うセルを切り換えている。
【００３０】
即ち、上段図において、１フレームの先頭でセル＃０についてのレベル測定が行なわれ、次にセル＃１、セル＃２、セル＃３、そして再びセル＃０、・・・といったように１フレーム内に２回ずつ各セルについてレベル測定が行われるように、スライディング相関器１３２にセットする逆拡散コードを切り換えている。
【００３１】
尚、１．５スロットを各セルについてのレベル測定時間に割当てたのは、逆拡散コードの切り換え時間を考慮したものであり、電力測定に最初の１スロットが費やされ、オーバーヘッドとしての０．５スロットにより逆拡散コードの切り換えが行われる。
【００３２】
図３の中段は、パスサーチ期間を示したものである。
【００３３】
図のように、１フレーム間に１つのセルに対するパスサーチが行なわれ、フレーム毎に順次パスサーチを行うセルが切り換えられている。
【００３４】
即ち、マッチドフィルタ１１２に与えられる逆拡散コードは、１フレーム毎に異なるセル対応に切り換えられることとなる。
【００３５】
尚、この例では、各セルについてのパスサーチ結果は、測定後に即反映（更新）される。
【００３６】
即ち、例えばセル＃０については、第１フレーム内でパスサーチを行って得られたパスサーチ結果は、第２フレーム〜第６フレームに適用され、この間のレベル測定は、第１フレーム内で検出されたパスタイミングによる逆拡散をスライディング相関器１３２で実行することで実行される。
【００３７】
そして、次にセル＃０についてのパスサーチが実行されるのは、５フレーム後（第６フレーム）であり、同様に、第７フレーム以降については、第６フレームにおいて検出したパスタイミングに基づいてレベル測定が行われる。
【００３８】
もちろん、検出したパスタイミングは、データの復調を行う逆拡散処理部にも与えることができる。
【００３９】
図３の下段は、セル＃０についてのレベル測定期間を棒グラフの幅で示したものである。もちろん、セル＃１、セル＃２、セル＃３についても上段図のようにレベル測定を行うが、ここでは、セル＃０に着目して表している。
【００４０】
実線の曲線で示される起伏は、フェージングにより受信レベルが変動する様子を模式的に表すものである。レベル測定期間は、分散しているため、フェージングの影響によるレベルの瞬時的な変動は電力化／同期検波部１３４における平均化により極力抑えられることとなる。
【００４１】
従来の他の通信システムについては、例えば特許文献１に記載されている。
【特許文献１】特開平１１−３１７６９４号公報
【発明の開示】
【発明が解決しようとする課題】
【００４２】
先に説明したように、移動局はパスサーチ部における相関検出部と、復調部における相関検出部の双方を用いてレベル測定を行なうため、相関検出部における消費電力を２倍必要としている。
【００４３】
そこで、本発明は、レベル測定に必要とされる消費電力を抑えることを目的の１つとする。
【００４４】
特に、相関検出部として、スライディング相関器等を用いる場合は、相関算出のために乗算回路を複数備えており回路的に大規模であり、消費電力も大きいため、この消費電力を抑えることが望ましい。
【００４５】
また、移動局は、消費電力を節約するために、通話中以外は待受け動作モードに入る。ネットワーク側から移動局への電力レベルの測定要求は、移動局の動作モードとは無関係に発せられる。従って、移動局が待受け動作モードにて無線基地局と間欠受信等を行なっているときに、周辺セルの電力レベルを測定すべき旨の命令がネットワーク側から通知されることもある。この場合、移動局は、パスサーチ部１１０に加えて復調部１３０も起動し、上述したような手法で周辺セルの電力レベルを測定し、測定結果を無線送信することもある。従って、移動局は、通信中でなくても復調部１３０を起動させるので、通信以外の目的で多くの電力が消費されてしまう点でそれは好都合ではない。低容量のバッテリしか備えていない小型の移動局にあっては、それは特に不都合である。
【００４６】
また、別の側面では、ピーク検出部１１８でパスタイミングｔ０，ｔ１，ｔ２，ｔ３を判別するのに使用された受信信号と、相関算出部としてのスライディング相関器１３２で逆拡散を行なってレベル測定を行なうのに用いる受信信号とは同一の信号ではない。
【００４７】
即ち、図３において、第１フレームでセル＃０についてパスサーチを行って検出されたパスが適用されるのは、後続する第２〜第６スロットであり、パスサーチに用いた受信信号とレベル測定に用いる受信信号は一致する部分を有さない。
【００４８】
また、パス更新周期内におけるいずれか１フレーム内でパスサーチが行われるため、パス更新周期内における環境の変化に対応することが難しい。
【００４９】
本発明は、上記の少なくとも１つの問題点を解決することを目的とする。
【課題を解決するための手段】
【００５０】
本発明では、
所定の期間内のサンプルタイミングの各々について、受信信号及び既知信号の相関値に基づく電力値を算出する電力化手段と、
複数のセルの各々に割り当てられたタイムスロットに応じて、入力された信号の接続先を切り替える時分割手段と、
前記時分割手段に接続され、前記電力値をそれぞれ積算する複数の積算手段と、
積算結果に基づいて、各サンプル時点のうち、所定値以上の積算値に対応する１以上のサンプル時点を検出する検出手段と、
前記時分割手段に接続され、前記電力値を記憶する記憶手段と、
検出されたサンプル時点に対応する記憶済みの電力値に基づいて、電力レベルの測定結果を出力する出力手段と
を備えることを特徴とする電力レベル測定装置が、使用される。
【００５１】
本発明では、受信信号について所定の逆拡散符号との相関を相関算出部で算出し、算出した該相関に基づいてパスタイミングを出力するサーチ部を備えた移動局において、前記相関算出部で算出した相関のうち、前記パスタイミングに対応する相関に基づいて受信電力レベルを算出する電力レベル測定部、を備えたことを特徴とする移動局を用いる。
【発明の効果】
【００５２】
本発明によれば、自セル及び他セルからの受信信号の電力レベルを移動局にて低消費電力で測定することができる。
【００５３】
また、電力レベルの測定精度が向上する。
【発明を実施するための最良の形態】
【００５４】
本発明の一態様によれば、記憶手段に記憶済みの電力値に基づいて電力レベルの測定が行なわれるので、電力測定のために復調部を起動しなくて済む。これにより、セルサーチにより判別されたパスタイミングが、低消費電力で調整される。
【００５５】
本発明の一態様によれば、前記電力レベルの測定結果が、受信信号強度と、チップ当たりの信号電力対雑音電力比とに比例する量である。また、受信信号強度は、自動利得制御装置に対する制御信号により決定される。
【００５６】
本発明の一態様によれば、前記チップ当たりの信号電力対雑音電力密度比を平均化する手段が更に設けられる。
【００５７】
本発明の一態様によれば、複数のタイムスロットより成る１つのフレームの中で、複数のセルに関する電力レベルの測定結果が出力される。これにより、電力測定頻度や測定間隔を調整する自由度を従来よりも大きくすることができる。例えば、１つのセルに関する電力レベルの測定結果が、複数のフレームの間に等間隔のタイミングで出力されるようにすることもできる。
【００５８】
以下、本発明による実施例が説明される。
【実施例１】
【００５９】
図４は、本発明の一実施例による電力レベル測定装置の機能ブロック図を示す。この電力レベル測定装置は、移動局等の通信装置に搭載される。電力レベル測定装置は、相関検出部として機能するマッチドフィルタ部４０２と、電力化部４０４と、時分割部４０６と、セル番号０，１，２，３の各セルに対する測定部４１０，４１１，４１２，４１３とを有する。測定部４１０乃至４１３は同様な構成及び機能を有するので、測定部４１０がそれらを代表して説明される。測定部４１０は、更に、電力積算部４２２と、ピーク検出部４２４と、メモリ４２６と、レベル変換部４２８とを有する。
【００６０】
尚、電力レベル測定装置は、図１に示したパスサーチ部１１０におけるパスサーチ部に対応するものであり、図１では、相関を算出する部分が、マッチドフィルタ１１２、スライディング相関器１３２の２つ存在していたのに対し、相関を算出する部分はマッチドフィルタ１１２の１つとなっている。
【００６１】
また、電力レベル測定装置は、パスの検出機能も備えているため、ピーク検出部４２４で検出したタイミング（ピーク検出部４２４は、サービングセルについてのパス検出を行っているとする）は、不図示の、受信信号の逆拡散処理部に与えられ、逆拡散処理部は、与えられたタイミングで逆拡散コードを用いた逆拡散処理を実行することとなる。
【００６２】
尚、逆拡散処理部としては、図１に示した、スライディング相関器１３２、電力化／同期検波部１３４のうち同期検波部の機能、ＲＡＫＥ合成部１３５から構成されるものとし、電力化機能、レベル変換部１３６を有さないものとすることができ、ＲＡＫＥ合成後のデータを出力し、ＲＳＣＰを算出する機能は不要となる。
【００６３】
マッチドフィルタ部４０２は、所定の範囲内のサンプル時点の各々について、受信信号ｘと、既知の符号ｃとの相関値ｃｐｉｃｈ＿ｓｙｍｂｏｌ［ｍ］［ｉ］を、次式により算出する：
【００６４】
【数３】
2006054816.tif 000005
但し、ｍはサンプル時点を区別するパラメータであり、ｍ＝０，．．．，６３９である。ｉはシンボル番号を区別するパラメータであり、ｉ＝０，１，２，．．．である。総和はｋ＝１，．．．，ｎｓｃｏｄｅ  について行なわれ、ｎｓｃｏｄｅは、ＣＰＩＣＨ信号１シンボルに含まれるチップ数であり、例えば２５６チップである。１チップは４つのサンプルで表現される（４倍オーバーサンプリングが行なわれる。）。ｔはパスサーチで判別されたパスタイミングであり、このパスタイミングを中心に±３２０サンプルの範疇で合計６４０個（１シンボル当たり）の相関値が算出される。ｔとｍの関係は、図２（Ａ）に図示されている。ｃｏｄｅ［ｋ］は拡散符号を表し、これはチャネライゼーションコードＣＣ［ｋ］とスクランブリングコードＳＣ［ｋ］との積で表現される。
【００６５】
電力化部４０４は、相関値の同相成分及び直交成分の二乗和を算出することで、電力値Ｐｏｗ（ｍ）を算出する。このような電力値Ｐｏｗ（ｍ）は、シンボル毎に得られる６４０個の相関値の各々について算出される。
【００６６】
時分割部４０６は、電力化部４０６からの電力値の接続先を、時分割制御信号に応じて（所定の期間毎に）切り替える。切り替える間隔は、任意に設定することができるが、本実施例では、（１／Ｌ）フレームに設定される（但し、Ｌは２以上の整数である）。時分割制御信号は、不図示の制御装置により作成される。
【００６７】
測定部４１０は、電力化部４０４からの電力値に基づいて、セル番号０のセルからの信号に対する電力レベルを出力する。
【００６８】
電力積算部４２２は、６４０サンプルの区間にわたって得られる電力値Ｐｏｗ（ｍ）を、各サンプル時点毎に次々と積算する。積算される回数Ｊは、用途に応じて適宜設定される。即ち、あるサンプル時点ｍに関し、Ｐｏｗ（ｍ）＝Ｐｏｗ（ｍ）（ｊ＝１）＋・・・＋Ｐｏｗ（ｍ）（ｊ＝Ｊ）と順に積算することで算出される。好ましくは、パス更新周期と同じ５フレーム間について積算（ｊ＝１が５フレーム中最初の電力値とし、ｊ＝Ｊが５フレーム中最後の電力値として積算）し、この積算値をＪで除算して平均化してもよい。
【００６９】
ピーク検出部４２４は、積算後の６４０個の電力値Ｐｏｗ（ｍ）のうち、上位４つの電力値を選択し、それらに関するサンプル時点をｎｍａｘ（０），ｎｍａｘ（１），ｎｍａｘ（２），ｎｍａｘ（３）として設定する。このサンプル時点は、従来方式におけるパスタイミングｔ０，ｔ１，ｔ２，ｔ３に相当するものである。
【００７０】
メモリ４２６は、電力積算部４２２に入力される電力値を順に記憶する。即ち、メモリ４２６は、セル番号０を有するセルに関する電力値を記憶する。この場合に、電力積算部４２２から上記の積算値の算出結果や平均化された積算値を取得し、記憶するようにしてもよい。
【００７１】
レベル変換部４２８は、ピーク検出部４２４から通知されたサンプル時点ｎｍａｘ（０），ｎｍａｘ（１），ｎｍａｘ（２），ｎｍａｘ（３）に基づいて、メモリ４２６からそれらのサンプル時点に対応する電力値Ｐｏｗ（ｎｍａｘ（０）），Ｐｏｗ（ｎｍａｘ（１）），Ｐｏｗ（ｎｍａｘ（２）），Ｐｏｗ（ｎｍａｘ（３））を抽出する。レベル変換部４２８は、次式に従って、ＲＡＫＥ合成相当の処理を行なって、１チップ当たりの信号電力対雑音電力比Ｅｃ／Ｎ０を算出する：
【００７２】
【数４】
2006054816.tif 000006
ここで、ｎｓｃｏｄｅは、ＣＰＩＣＨ信号１シンボルに含まれるチップ数であり、本実施例では２５６である。ｋは電力の大きい順に抽出される電力値を区別するパラメータであり、本実施例では、ｋ＝０，１，２，３である。更に、レベル変換部４２８は、１チップ当たりの信号電力対雑音電力比Ｅｃ／Ｎ０を、受信信号強度ＲＳＳＩでスケール調整することで、ネットワーク側に報告するための電力レベルＲＳＣＰを算出する。即ち、
ＲＳＣＰ＝Ｅｃ／Ｎ０×ＲＳＳＩ
である。受信信号強度ＲＳＳＩは、マッチドフィルタに入力される前の受信信号について、出力レベルを一定化するために用いられる自動利得制御装置（ＡＧＣ）から利得制御信号を取得することで、求めることができる。例えば、受信信号強度ＲＳＳＩは、その制御信号の逆数に比例するように設定されてもよい。また、１チップ当たりの信号電力対雑音電力比Ｅｃ／Ｎ０を複数回測定したものに対して移動平均または、重み付け移動平均をした値が使用されてもよい。
【００７３】
このようにして算出されたレベル測定値は、無線基地局を経由してネットワーク制御装置（ＲＮＣ）等に伝送され、ハンドオーバ制御その他の処理に利用される。
【００７４】
図５は、レベル測定及びパスサーチに関するタイミング図を示す。図３と同様に、図中上段に示される移動端末への無線信号は、複数のタイムスロットを含むフレームから構成される。
【００７５】
そして、先の例と同様に、１．５スロット毎にレベル測定を行う対象のセルを切り換えており、電力測定に１スロット、逆拡散コードの切り換え時間としてのオーバーヘッドに０．５スロットが費やされる。
【００７６】
注目すべきは、図３とは異なり、１つのフレームの間に、複数のセルに対するパスサーチが行なわれ、かつ、１つのセルに対するパスサーチが、複数フレームにわたって実行される点である。
【００７７】
１フレーム内に１セルだけに対応するパスサーチを行なうこととしてもよいが、１フレーム内で異なるセルについてのレベル測定を行なうこととしたため、マッチドフィルタ部４０２には１フレーム内で異なるセルに対応する逆拡散コードが順に与えられる。
【００７８】
よって、１フレーム中１セルだけに対応するパスサーチを行なうこととすると、パスサーチを行うことができる時間が制限される。
【００７９】
そこで、好ましくは、図のようにレベル測定期間と、パスサーチ期間を一致させ、マッチドフィルタ部４０２にセル＃０に対応する逆拡散コードが割当てられている期間で得られた相関値を電力積算部４２２及びメモリ４２６の双方に与えるのである。
【００８０】
そして、レベル変換部４２８は、例えば、パス更新周期Ａの間で電力積算部４２２で積算して得られた値に基づいてピーク検出部４２４で特定したパスタイミングに対応する電力値であって、メモリ４２６に記憶済みの電力値（パス更新期間Ａに含まれるものとする）を用いてレベル変換処理を行い、受信電力レベルとして出力するのである。
【００８１】
即ち、図５におけるパス更新周期Ａの経過後に出力される新たなパスタイミング（セル＃０〜＃３のそれぞれについてのパスタイミング）を算出するのに用いた受信信号と同じ信号に基づいて、受信電力レベルが算出されるため、レベル測定精度が向上することになる。
【００８２】
尚、先に説明した背景技術では、パスタイミングの更新は、各セルごとに異なるタイミングであったが、この例では、同じパス更新周期で更新することができる。もとろん、完全に同一とせずとも、例えば、第１、第６フレーム内におけるアイドル領域、オーバヘッド領域で、パスサーチ、レベル測定を行う直前に更新することもできる。
【００８３】
更に、パスサーチ期間、レベル測定期間の双方が、１フレーム内、及びパス更新周期内で各セルとも複数に分散しているため、瞬時的なフェージング等の影響が抑えられることとなる。
【００８４】
実線の曲線で示される起伏は、フェージングにより受信レベルが変動する様子を模式的に表すものであり、セル毎にレベル測定期間が分散しているため、フェージングの影響が抑えられていることがよくわかる。
【００８５】
以上のように、本実施例によれば、パスのサーチに用いられるパスサーチ部が、電力レベル測定装置としても機能するため、図１に示した、別個の相関検出をスライディング相関器１３２等を用いて電力レベルを測定する必要がなく、スライディング相関器や同期検波部を含む復調部を起動しなくともよく、低消費電力で電力測定を行うことができる。
【００８６】
また、電力レベルの計算の基礎となる電力値Ｐｏｗ（ｍ）は、メモリ４２６に格納され、パスタイミングとして選択された値ｎｍａｘ（ｉ）を用いてメモリ内の過去の電力値が指定され、指定された電力値Ｐｏｗ（ｎｍａｘ（ｉ））を用いて電力レベルが算出される。従って、パスタイミング検出の際の受信信号と電力レベル算出時の受信信号とは同一の信号になり、正確な電力レベルを算出できる。
【００８７】
以下、本発明により教示される手段を例示的に列挙する。
【００８８】
（付記１）
所定の期間内のサンプルタイミングの各々について、受信信号及び既知信号の相関値に基づく電力値を算出する電力化手段と、
複数のセルの各々に割り当てられたタイムスロットに応じて、入力された信号の接続先を切り替える時分割手段と、
前記時分割手段に接続され、前記電力値をそれぞれ積算する複数の積算手段と、
積算結果に基づいて、各サンプル時点のうち、所定値以上の積算値に対応する１以上のサンプル時点を検出する検出手段と、
前記時分割手段に接続され、前記電力値を記憶する記憶手段と、
検出されたサンプル時点に対応する記憶済みの電力値に基づいて、電力レベルの測定結果を出力する出力手段と
を備えることを特徴とする電力レベル測定装置。
【００８９】
（付記２）
前記所定の期間が、セルサーチにより判別されたパスタイミングを含む
ことを特徴とする付記１記載の電力レベル測定装置。
【００９０】
（付記３）
前記電力レベルの測定結果が、受信信号強度と、チップ当たりの信号電力対雑音電力比とに比例する量である
ことを特徴とする付記１記載の電力レベル測定装置。
【００９１】
（付記４）
前記受信信号強度が、自動利得制御装置に対する制御信号により決定される
ことを特徴とする付記１記載の電力レベル測定装置。
【００９２】
（付記５）
前記電力値を、チップ当たりの信号電力対雑音電力密度比に換算する手段
を有することを特徴とする付記１記載の電力レベル測定装置。
【００９３】
（付記６）
前記チップ当たりの信号電力対雑音電力密度比を平均化する手段
を更に有することを特徴とする付記５記載の電力レベル測定装置。
【００９４】
（付記７）
複数のタイムスロットより成る１つのフレームの中で、複数のセルに関する電力レベルの測定結果が出力される
ことを特徴とする付記１記載の電力レベル測定装置。
【００９５】
（付記８）
１つのセルに関する電力レベルの測定結果が、複数のフレームの間に等間隔のタイミングで出力される
ことを特徴とする付記１記載の電力レベル測定装置。
【００９６】
（付記９）
前記相関値を平均化する手段
を更に有することを特徴とする付記１記載の電力レベル測定装置。
【００９７】
（付記１０）
受信信号について所定の逆拡散符号との相関を相関算出部で算出し、算出した該相関に基づいてパスタイミングを出力するサーチ部を備えた移動局において、
前記相関算出部で算出した相関のうち、前記パスタイミングに対応する相関に基づいて受信電力レベルを算出する電力レベル測定部、
を備えたことを特徴とする移動局。
【図面の簡単な説明】
【００９８】
【図１】従来の電力レベル測定装置の機能ブロック図を示す。
【図２】パス及びパスタイミングを模式的に示す図である。
【図３】レベル測定及びパスサーチに関するタイミング図を示す。
【図４】本発明の一実施例による電力レベル測定装置の機能ブロック図を示す。
【図５】レベル測定及びパスサーチに関するタイミング図を示す。
【符号の説明】
【００９９】
１１０  パスサーチ部；  １１２  マッチドフィルタ部；  １１４  電力化部；  １１６  電力積算部；  １１８  ピーク検出部；  １３０  復調部；  １３２  スライディング相関器；  １３４  電力化／同期検波部；  １３５  ＲＡＫＥ合成部；  １３６  レベル変換部；
４０２  マッチドフィルタ；  ４０４  電力化部；  ４０６  時分割部；  ４１０，４１１，４１２，４１３  測定部；  ４２２  電力積算部；  ４２４  ピーク検出部；  ４２６  メモリ；  ４２８  レベル変換部
【図１】
2006054816.tif 000007
【図２】
2006054816.tif 000008
【図３】
2006054816.tif 000009
【図４】
2006054816.tif 000010
【図５】
2006054816.tif 000011